(57)【要約】【課題】排気口へのエアフィルタの追加や冷却用ファンの出力および騒音の増加を招くことなく、良好なエアフィルタの清掃機能を実現する。【解決手段】画像投射装置は、筐体１７の内部に設けられ、該筐体に形成された冷却用吸気口１７ａから冷却用空気を取り込む冷却用ファン１０，１２，１６と、冷却用吸気口を覆うエアフィルタ２２と、筐体に形成され、冷却用空気を筐体の内部から外部に排出する排気口１９ａと、筐体の内部に設けられ、該筐体に該排気口とは別に形成された清掃用吸気口１７ｂから清掃用空気を取り込む清掃用ファン２５とを有する。清掃用ファンから吐出された清掃用空気を、筐体の内部から冷却用吸気口およびエアフィルタを通して該筐体の外部に排出する。【選択図】図４
2011154053.tif 000002
【特許請求の範囲】
【請求項１】
光変調素子により変調された光を被投射面に投射して画像を表示する画像投射装置であって、
該画像投射装置の筐体の内部に設けられ、該筐体に形成された冷却用吸気口から冷却用空気を取り込む冷却用ファンと、
前記冷却用吸気口を覆うエアフィルタと、
前記筐体に形成され、前記冷却用空気を前記筐体の内部から外部に排出する排気口と、
前記筐体の内部に設けられ、該筐体に前記排気口とは別に形成された清掃用吸気口から清掃用空気を取り込む清掃用ファンとを有し、
前記清掃用ファンから吐出された前記清掃用空気を、前記筐体の内部から前記冷却用吸気口および前記エアフィルタを通して該筐体の外部に排出することを特徴とする画像投射装置。
【請求項２】
前記清掃用ファンから吐出された前記清掃用空気を、前記冷却用吸気口および前記エアフィルタのうち前記光変調素子を冷却する前記冷却用空気が通る領域に導く構造を有することを特徴とする請求項１に記載の画像投射装置。
【請求項３】
前記冷却用吸気口から流入した前記冷却用空気を前記冷却用ファンに向けて通す開口を有し、かつ前記清掃用ファンから吐出された前記清掃用空気を前記冷却用吸気口に導く導風部材を有することを特徴とする請求項１又は２に記載の画像投射装置。
【請求項４】
前記エアフィルタの一部は、前記清掃用吸気口を覆うことを特徴とする請求項１から３のいずれか一項に記載の画像投射装置。
【請求項５】
前記エアフィルタの目詰まりを検出するセンサと、
該センサからの出力に応じて前記清掃用ファンを動作させるコントローラとを有することを特徴とする請求項１から４のいずれか一項に記載の画像投射装置。
【発明の詳細な説明】
【技術分野】
【０００１】
本発明は、液晶プロジェクタ等の画像投射装置に関し、特にエアフィルタの清掃機能を有する画像投射装置に関する。
【背景技術】
【０００２】
上記のような画像投射装置（以下、プロジェクタという）には、ランプ等の光源や液晶パネル等の光変調素子を冷却するために筐体の内部に冷却用ファンが設けられている。また、冷却用ファンが冷却用空気としての外気を取り込むために筐体に形成された吸気口は、防塵用のエアフィルタで覆われている。
プロジェクタの長時間の使用によって塵埃によるエアフィルタの目詰まりが発生するおそれがある。このため、エアフィルタを定期的に又は必要に応じて清掃する必要がある。
特許文献１には、冷却用ファンを通常運転時（つまりは冷却時）とは逆回転させて筐体の内部の空気を吸気口に向けて流し、エアフィルタに堆積した塵埃を吹き飛ばすことで、エアフィルタを清掃するプロジェクタが開示されている。
【先行技術文献】
【特許文献】
【０００３】
【特許文献１】特開２００４−０６４０１０号公報
【発明の概要】
【発明が解決しようとする課題】
【０００４】
しかしながら、特許文献１にて開示されたプロジェクタでは、エアフィルタに吹き付ける清掃用空気は筐体の内部の空気である。この場合、筐体の内部と外部とで圧力差が生じるため、必然的に筐体の外部から清掃用空気を吸気することになる。そして、清掃用空気を筐体の外部からの取り込みは、筐体に設けられた冷却用空気の排気口を通して行われる。
したがって、筐体の内部に塵埃が入らないようにするには、冷却用空気の排気口にもエアフィルタを設ける必要がある。
しかも、このプロジェクタでは、冷却用空気の排気口にエアフィルタが設けられることに起因して、通常運転中において排気口を通って筐体の外部に排出される空気の流路抵抗が増大し、冷却用ファンの出力を大きくする必要が生じたり騒音が増加したりする。
本発明は、排気口へのエアフィルタの追加や冷却用ファンの出力および騒音の増加を招くことなく、良好なエアフィルタの清掃機能を有する画像投射装置を提供する。
【課題を解決するための手段】
【０００５】
本発明の一側面としての画像投射装置は、筐体の内部に設けられ、該筐体に形成された冷却用吸気口から冷却用空気を取り込む冷却用ファンと、冷却用吸気口を覆うエアフィルタと、筐体に形成され、冷却用空気を筐体の内部から外部に排出する排気口と、筐体の内部に設けられ、該筐体に該排気口とは別に形成された清掃用吸気口から清掃用空気を取り込む清掃用ファンとを有する。そして、清掃用ファンから吐出された清掃用空気を、筐体の内部から冷却用吸気口およびエアフィルタを通して該筐体の外部に排出することを特徴とする。
【発明の効果】
【０００６】
本発明によれば、排気口とは別に形成された清掃用吸気口から清掃用ファンによって筐体の内部に取り込んだ清掃用空気を、筐体の内部から冷却用吸気口およびエアフィルタを通して該筐体の外部に排出する。この際に、エアフィルタに堆積した塵埃を吹き飛ばすことで、エアフィルタを良好に清掃することができる。排気口とは別に清掃用吸気口を設けているため、排気口を清掃用空気の吸気口として用いる場合のように排気口にエアフィルタを追加する必要はなく、排気口にエアフィルタを設けることによる通常運転時の騒音の増加を回避することができる。
【図面の簡単な説明】
【０００７】
【図１】本発明の実施例１であるプロジェクタの上面図。
【図２】実施例１のプロジェクタの光学構成を示す上面図および側面図。
【図３】実施例１のプロジェクタにおける冷却構造を示す上面図。
【図４】実施例１のプロジェクタにおけるエアフィルタ清掃動作を示す上面図。
【図５】本発明の実施例２であるプロジェクタにおけるエアフィルタ清掃動作を示す上面図。
【図６】本発明の実施例３であるプロジェクタにおけるエアフィルタ清掃動作を示す上面図。
【図７】実施例３のプロジェクタにおけるエアフィルタ清掃部を示す上面図。
【発明を実施するための形態】
【０００８】
以下、本発明の実施例について図面を参照しながら説明する。
【実施例１】
【０００９】
（プロジェクタの全体構成）
図１には、本発明の実施例１である液晶プロジェクタ（画像投射装置）の構成を示している。
【００１０】
この図において、１は光源ランプ（以下、単にランプという）であり、本実施例では、高圧水銀放電ランプが用いられている。ただし、光源ランプ１として、高圧水銀放電ランプ以外の放電型ランプ（例えば、ハロゲンランプ、キセノンランプ、メタルハライドランプ）を用いてもよい。
２は不図示の複数のバネ部材からの付勢力を用いてランプ１を保持するランプホルダである。３は防爆凸レンズ、４はランプ１、ランプホルダ２および防爆凸レンズ３等によって構成されるランプユニットである。
αはランプ１からの光束を均一な明るさ分布を有する平行光束に変換する照明光学系である。βは照明光学系αからの光を色分解して、後述するＲＧＢの３色用の液晶パネルに導き、さらに該液晶パネルからの光を色合成する色分解合成光学系である。
５は色分解合成光学系βからの光（画像）を図示しないスクリーン（被投射面）に投射する投射レンズである。投射レンズ５内には、不図示の投射光学系が収納されている。
６はランプユニット４、照明光学系αおよび色分解合成光学系βを収納するとともに、投射レンズ５が固定される光学ボックスである。
【００１１】
７は光学ボックス６内に照明光学系αおよび色分解合成光学系βを収納した状態で蓋をする光学ボックス蓋である。
８は電源・バラストユニットであり、商用電源から各基板へのＤＣ電源を作り出すＰＦＣ電源基板や、該ＰＦＣ電源基板と電気的に接続されてランプ１を点灯させるバラスト電源を含む。
９はＡＣインレットであり、後述する外装キャビネット１７に組み込まれて電源・バラストユニット８に商用電源を供給する。
１０は光学冷却ファンであり、外装キャビネット１７に形成された冷却用吸気口１７ａから取り込んで吐出した冷却用空気（外気）によって電源・バラストユニット８を冷却する。１１は冷却用吸気口１７ａから流入した冷却用空気を光学冷却ファン１０にスムーズに導くためのＲＧＢダクトである。
１２は第１ランプ冷却ファンであり、冷却用吸気口１７ａから取り込んで吐出した冷却用空気をランプ１に吹き付けてランプ１を冷却する。１３は第１ランプ冷却ファン１２を保持し、かつ第１ランプ冷却ファン１２から吐出された冷却用空気をランプ１に導く第１ランプダクトである。１４は第１ランプダクト１３と組み合わさって、第１ランプ冷却ファン１２から吐出された冷却用空気を後述する偏光変換素子４５に導く第２ランプダクトである。
１５は電源排気ファンであり、電源・バラストユニット８に保持されている。電源排気ファン１５は、冷却用吸気口１７ａから取り込んで吐出した冷却用空気によって電源・バラストユニット８を冷却する。電源排気ファン１５は、光学冷却ファン１０から吐出された空気も吸い込む。電源・バラストユニット８を冷却した後の空気は、後述する排気口１９ａから筐体の外部に排出される。
１６は第２ランプ冷却ファンであり、冷却用吸気口１７ａから取り込んで吐出した冷却用空気によってランプ１を冷却する。第１ランプ冷却ファン１２と第２ランプ冷却ファン１６から吐出されてランプ１の冷却に用いられた空気は、排気口１９ａから筺体の外部に排出される。
外装キャビネット１７は、ランプ１、光学ボックス６、電源・バラストユニット８およびファン１２，１３，１５，１６等を収納した状態で外装キャビネット蓋１８で蓋をされることで、外装キャビネット蓋１８とともに筐体を構成する。前述したように、外装キャビネット１７には、冷却用吸気口１７ａが形成されている。
また、外装キャビネット１７には、後述する清掃用ファン２５によって清掃用空気（外気）を取り込むための清掃用吸気口１７ｂが形成されている。清掃用吸気口１７ｂは、冷却用吸気口１７ａおよび排気口１９ａとは別に形成された開口である。冷却用吸気口１７ａと清掃用吸気口１７ｂとは、外装キャビネット１７の同一の側面に互いに近接して形成されている。また、外装キャビネット蓋１８には、複数のインターフェース素子が保持されている。
１９は排気蓋であり、筺体の内部から外部への排気を行う前述した排気口１９ａを有する。排気蓋１９は、外装キャビネット１７および外装キャビネット蓋１８に対して開閉可能に設けられている。
２２は冷却用吸気口１７ａを覆い、筐体の内部に取り込まれる外気に含まれる塵埃を除去するエアフィルタである。エアフィルタ２２は、プリーツ形状を有することが好ましい。プリーツ形状によって筐体の外部から内部に流入する空気と接触する面積を増加させることで、エアフィルタ２２への空気の流入速度を遅くすることができ、速度を遅くすることでよりエアフィルタ２２で塵埃を捕集し易くなる。
２３は外装キャビネット１７に取り付けられ、エアフィルタ２２を保持するエアフィルタホルダである。
２４は排気蓋１９に近接して設けられ、排気蓋１９の開閉状態を検出する排気蓋センサである。
２５は清掃用ファンであり、清掃用吸気口１７ｂから取り込んだ清掃用空気を吐出する。清掃用ファン２５から吐出された清掃用空気は、筐体の内部からエアフィルタ２２を通して筐体の外部に排出される。これにより、エアフィルタ２２に付着（堆積）した塵埃を吹き飛ばし、該エアフィルタ２２を清掃する。
２６は清掃用ファン２５を保持するとともに、清掃用ファン２５が清掃用吸気口１７ｂからのみ清掃用空気を取り込むように仕切り構造を備えた清掃用ファンボックスである。
３０ａは筐体の内部（冷却用吸気口１７ａの付近）にて該筐体の内部の温度を検出する吸気口温度センサである。
（光学構成）
図２（ａ），（ｂ）には、本実施例のプロジェクタの光学構成を示している。発光管４１およびリフレクタ４２により構成されるランプ１からの白色光は、照明光学系αを介して色分解合成光学系βに導かれる。照明光学系αは、防爆凸レンズ３、第１フライアイレンズ４３ａ、第２フライアイレンズ４３ｂ、紫外線吸収フィルタ４４および偏光変換素子４５により構成され、ランプ１からの光を複数の光束に分割し、所定の偏光方向を有する光に変換する。また、照明光学系αは、ミラー４６、第１コンデンサーレンズ４７ａおよび第２コンデンサーレンズ４７ｂを含み、複数の光束の進行方向を変更するとともに、該複数の光束を後述する各液晶パネル上で重ね合わせる。
色分解合成光学系βは、入射した白色光を赤色光（Ｒ），緑色光（Ｇ）および青色光（Ｂ）に分解してそれぞれをＲ用液晶パネル５８Ｒ、Ｇ用液晶パネル５８ＧおよびＢ用液晶パネル５８Ｂに導く。本実施例の液晶パネル（光変調素子）は、反射型液晶パネルであるが、透過型液晶パネルを用いてもよい。Ｒ用液晶パネル５８Ｒ、Ｇ用液晶パネル５８ＧおよびＢ用液晶パネル５８Ｂにてそれぞれ変調された赤色光，緑色光および青色光は、色分解合成光学系βによって合成されて投射レンズ５に入射し、該投射レンズ５によってスクリーンに投射される。
色分解合成光学系βにおいて、４８は照明光学系αからの白色光を緑色光と赤色光および青色光とに分離するダイクロイックミラーである。ダイクロイックミラー４８を透過した緑色光は、偏光ビームスプリッタ５２に入射する。偏光ビームスプリッタ５２は、入射した緑色光を、その偏光方向に応じて透過／反射する。
偏光ビームスプリッタ５２を透過した緑色光は、１／４波長板５７Ｇを透過してＧ用液晶パネル５８Ｇに入射する。Ｇ用液晶パネル５８Ｇで変調された緑色光は、１／４波長板５７Ｇを再び透過して偏光ビームスプリッタ５２で反射され、Ｇ用偏光板５５で検光されて色合成プリズム５４に入射する。
【００１２】
また、ダイクロイックミラー４８で反射してトリミングフィルタ４９、偏光板５０およびカラーセレクト５１を透過した赤色光と青色光は、偏光ビームスプリッタ５３に入射する。偏光ビームスプリッタ５３は、入射した赤色光と青色光を、その偏光方向に応じて透過／反射する。
偏光ビームスプリッタ５３で反射された赤色光は、１／４波長板５７Ｒを透過してＲ用液晶パネル５８Ｒに入射する。また、偏光ビームスプリッタ５３を透過した青色光は、１／４波長板５７Ｂを透過してＢ用液晶パネル５８Ｂに入射する。
Ｒ用液晶パネル５８Ｒで変調された赤色光は、１／４波長板５７Ｒおよび偏光ビームスプリッタ５３を透過し、Ｂ用偏光板５６をそのまま透過して色合成プリズム５４に入射する。また、Ｂ用液晶パネル６１Ｂで変調された青色光は、１／４波長板５７Ｂを透過した後、偏光ビームスプリッタ５３で反射され、Ｂ用偏光板５６で検光されて色合成プリズム５４に入射する。
色合成プリズム５４は、入射した緑色光、赤色光および青色光を合成して、投射レンズ５に導く。
（冷却構造）
次に、本実施例のプロジェクタにおける冷却構造について図３を用いて説明する。本実施例のプロジェクタは、前述した通り、冷却および排熱用のファンを４つ備え、これら４つのファンを用いて冷却用空気が流れる２つの冷却風路を形成する。図３には、冷却風路Ａおよび冷却風路Ｂをそれぞれ実線矢印および点線矢印にて示している。
まず、冷却風路Ａについて説明する。第１ランプ冷却ファン１２および第２ランプ冷却ファン１６の回転によって筐体の外部の空気（冷却用空気）が冷却用吸気口１７ａからエアフィルタ２２を通って筐体の内部へ流入する。
第１ランプ冷却ファン１２から吐出された冷却用空気は、第１ランプダクト１３およびランプホルダ２に設けられた不図示の開口を通って、ランプユニット４内にてランプ１、ランプホルダ２および防爆凸レンズ３により形成された空間に送り込まれる。該冷却用空気は、主としてランプ１の発光管４１を冷却する。発光管４１を冷却した空気はランプホルダ２に設けられた不図示の開口を通ってランプユニット４から排出される。ランプユニット４から排出された冷却用空気は、排気蓋１９に向かって流れ、排気口１９ａを通って筐体の外部に排出される。
また、第１ランプ冷却ファン１２から吐出された冷却用空気の一部は、第２ランプダクト１４および光学ボックス６に設けられた不図示の開口を通って光学ボックス６の内部に流入し、偏光変換素子４５を冷却する。偏光変換素子４５を冷却した冷却用空気は、排気蓋１９に向かって流れ、排気口１９ａを通って筐体の外部に排出される。
第２ランプ冷却ファン１６から吐出された冷却用空気は、リフレクタ４２の外周を流れてランプユニット４の外周を冷却した後、排気蓋１９に向かって流れ、排気口１９ａから筐体の外部に排出される。
次に、冷却風路Ｂについて説明する。光学冷却ファン１０の回転によって筐体の外部の空気（冷却用空気）が冷却用吸気口１７ａからエアフィルタ２２を通って筐体の内部に流入し、ＲＧＢダクト１１を通って光学冷却ファン１０に吸い込まれる。該光学ファン１０から吐出された冷却用空気は、不図示のダクトを通って光学ボックス６に設けられた不図示の開口を通って光学ボックス６の内部に流入し、色分解合成光学系βの各光学素子（液晶パネル等）を冷却する。
色分解合成光学系βの各光学素子を冷却した冷却用空気は、次に電源・バラストユニット８内に流れ込む。電源・バラストユニット８内に流れ込んだ空気は、電源排気ファン１５の回転によって該電源排気ファン１５に向かうように流れ、このとき電源およびバラストの各素子を冷却する。そして、電源排気ファン１５から吐出された冷却用空気は、排気口１９ａを通って筐体の外部に排出される。
電源排気ファン１５は、光学冷却ファン１０から吐出されて色分解合成光学系βと電源・バラストユニット８を冷却する空気の流れを生成するだけでなく、冷却用吸気口１７ａから筐体の内部に流入して筐体の内部の全体に回る空気の流れを生成する。
このような冷却用風路Ａおよび冷却用風路Ｂを形成する冷却構造において、長時間の連続使用に伴うエアフィルタ２２の目詰まりが生じたり、冷却用吸気口１７ａの近傍に障害物が設けられたりした場合、空気の流れに対する抵抗が増大する。抵抗が増大することで、筐体の内部と外部を循環する空気の流量が減少し、筐体の内部の温度が上昇する。
このため、本実施例のプロジェクタには、吸気口温度センサ３０ａにより検出される筐体の内部の温度が所定の閾値を超えた場合には、電源・バラストユニット８から各部への電力供給を停止する。閾値は、プロジェクタ内の様々な素子の寿命が過度の温度上昇によって劣化しないように設定する。
次に、図４を用いて、本実施例のプロジェクタにおけるエアフィルタ２２の清掃動作について説明する。エアフィルタ２２のうち冷却用吸気口１７ａを覆う領域には、光学冷却ファン１０，第１ランプ冷却ファン１２および第２ランプ冷却ファン１６ファンの回転によって筐体の外部の空気が吸引されることにより、塵埃２７が付着および堆積する。清掃動作では、堆積した塵埃２７を清掃用ファン２５の回転による空気の流れによって除去する。
図４には、エアフィルタ２２の清掃動作時において清掃用ファン２５の回転により流れる空気（清掃用空気）の流路を清掃風路Ｃとして示している。清掃動作時には、光学冷却ファン１０，第１ランプ冷却ファン１２、第２ランプ冷却ファン１６および電源排気ファン１５はすべて停止する。
清掃用ファン２５の回転によって筐体の外部から清掃用吸気口１７ｂおよびエアフィルタ２２を通って筐体の内部に流入した外気（清掃用空気）は、清掃用ファンボックス２６内に流れ込み、清掃用ファン２５に吸い込まれる。清掃用ファン２５は、その吐出口が冷却用吸気口１７ａに対して傾いて向くように清掃用ファンボックス２６により保持されている。
清掃用ファン２５から吐出された清掃用空気は、ＲＧＢダクト１１の近傍を通ってエアフィルタ２２に向かって流れ、エアフィルタ２２の外側に堆積した塵埃２７を筐体の外部に向かって吹き飛ばす。これにより、エアフィルタ２２が清掃される。
このような清掃動作は、例えば、プロジェクタの運転停止（電源遮断）ごとに行うとよい。これにより、プロジェクタの運転開始（電源投入）ごとに冷却用吸気口１７ａを覆うエアフィルタ２２に塵埃が付着していない状態を保つことができる。
また、清掃動作は、吸気口温度センサ３０ａによる検出温度が閾値を超えたことに応じて不図示のＣＰＵ等のコントローラが自動的に行うようにしてもよい。すなわち、吸気口温度センサ３０ａを用いてエアフィルタの目詰まりを検出し、該センサ３０ａの出力に応じてコントローラが自動的に清掃用ファン２５を動作させるようにしてもよい。これにより、プロジェクタの運転停止時であっても、エアフィルタ２２が目詰まりしておらず清掃を行わなくてもよい状態のときには清掃動作を行わないように制御して、必要な清掃動作のみを行うように制御することができる。このときの吸気口温度センサ３０ａに対する閾値は、前述した電力供給停止用の閾値と異なっていてもよい。
清掃動作を繰り返すことで、エアフィルタ２２のうち清掃用吸気口１７ｂを覆う領域にも塵埃が付着および堆積し、エアフィルタ２２が目詰まりを起こす。これにより、清掃用ファン２５から吐出される空気の流量が減少し、清掃性能が低下する。このため、清掃用ファンボックス内２６に風量センサを設け、清掃用ファン２５が吸い込む空気の流量（風量）を計測し、計測値に応じて清掃用ファン２５の回転数を制御して、必要風量が得られるようにしてもよい。また、エアフィルタ２２を筐体から取り外して清掃することを促す警告表示を行うようにしてもよい。
これら清掃動作のタイミングや自動制御および風量センサを設けることは、後述する他の実施例でも同じである。
【００１３】
以上説明したように、本実施例によれば、排気口１９ａとは別に形成された清掃用吸気口１７ｂから清掃用ファン２５によって筐体の内部に取り込んだ清掃用空気を、筐体の内部から冷却用吸気口１７ａを通して該筐体の外部に排出する。この際に、エアフィルタ２２に堆積した塵埃を吹き飛ばすことで、エアフィルタ２２を良好に清掃することができる。
【００１４】
また、清掃用空気を取り込むために、排気口１９ａとは別に清掃用吸気口１７ｂを設けているため、排気口を清掃用空気の吸気口として用いる場合のように排気口１９ａにエアフィルタを追加する必要はない。このため、排気口にエアフィルタを設けることによる通常運転時の騒音の増加を回避することができる。
なお、本実施例では冷却用吸気口が１つだけ設けられているプロジェクタについて説明した。しかし、プロジェクタには、エアフィルタの清掃を行う冷却用吸気口とは別にエアフィルタの清掃をしない冷却用吸気口が設けられ、この冷却用吸気口を通して筐体の内部から外部に空気を循環する循環ファンが設けられているものがある。このようなプロジェクタでは、清掃用ファン２２の回転中に循環ファンが回転していても構わない。
【実施例２】
【００１５】
図５には、本発明の実施例２である液晶プロジェクタの構成を示している。本実施例のプロジェクタは、実施例１（図３）では１つにまとめていた冷却風路Ａと冷却風路Ｂに対する冷却用吸気口１７ａを、冷却風路Ａ用吸気口１１７ａと冷却風路Ｂ用吸気口１１７ｂとに分割した構造を有する。具体的には、ＲＧＢダクト１１の壁部を冷却用吸気口１７ａまで伸ばして該壁部を仕切りとして用いることで、冷却風路Ａ用吸気口１１７ａと冷却風路Ｂ用吸気口１１７ｂとを分割している。すなわち本実施例では、清掃用ファン２５から吐出された清掃用空気を、冷却用吸気口１７のうち光変調素子である液晶パネルが設けられた色分解合成光学系βを冷却する冷却用空気が通る領域（冷却風路Ｂ用吸気口１１７ｂ）に導く構造を有する。これ以外の構成は、実施例１と同じである。
また、図５には、エアフィルタ２２の清掃動作時において清掃用ファン２５の回転により流れる空気（清掃用空気）の流路を清掃風路Ｄとして示している。実施例１と同様に、清掃動作時には、光学冷却ファン１０，第１ランプ冷却ファン１２、第２ランプ冷却ファン１６および電源排気ファン１５はすべて停止する。
清掃用ファン２５の回転によって筐体の外部から清掃用吸気口１７ｂおよびエアフィルタ２２を通って筐体の内部に流入した外気（清掃用空気）は、清掃用ファンボックス２６内に流れ込み、清掃用ファン２５に吸い込まれる。清掃用ファン２５は、その吐出口が冷却用吸気口１７ａに対して傾いて向くように清掃用ファンボックス２６により保持されている。
清掃用ファン２５から吐出された清掃用空気は、ＲＧＢダクト１１の壁部によってガイドされてエアフィルタ２２のうち冷却風路Ｂ用吸気口１１７ｂを覆う領域に向かって流れ、該領域の外側に堆積した塵埃２７を筐体の外部に向かって吹き飛ばす。これにより、エアフィルタ２２のうち特に色分解合成光学系βを冷却する冷却風路Ｂ用に設けられた領域を集中的に清掃することができる。
本実施例によれば、を有するので、色分解合成光学系βには、投射レンズ５のピント面の近傍であって最も塵埃の影響を受け易い液晶パネルが設けられている。このため、色分解合成光学系βを冷却するための冷却風路Ｂに対して設けられたエアフィルタ２２を集中的に清掃することで、色分解合成光学系βへの塵埃の侵入を抑制し、液晶パネルに塵埃が付着することによる投射画像の劣化を防ぐことができる。
【実施例３】
【００１６】
図６および図７には、本発明の実施例３である液晶プロジェクタの構成を示している。本実施例は、実施例１に対して、導風ルーバ（導風部材）２８が追加されている点および清掃用ファン２５が冷却用吸気口１７と平行に（吐出口が冷却用吸気口１７が延びる方向を向くように）配置されている点が異なり、他の構成は実施例１と同じである。
図６には、エアフィルタ２２の清掃動作時において清掃用ファン２５の回転により流れる空気（清掃用空気）の流路を清掃風路Ｅとして示している。実施例１と同様に、清掃動作時には、光学冷却ファン１０，第１ランプ冷却ファン１２、第２ランプ冷却ファン１６および電源排気ファン１５はすべて停止する。
導風ルーバ２８は、図７に拡大して示す形状を有する。すなわち、導風ルーバ２８は、複数の羽根２８ｂを有する。複数の羽根２８ｂのうち清掃用ファン２５に近い範囲に設けられた羽根２８ｂには、冷却用吸気口１７ａから流入した冷却用空気を冷却ファン１０，１２，１６に向けて通す開口２８ａが形成されている。複数の羽根２８ｂは、清掃用ファン２５から吐出された清掃用空気を冷却用吸気口１７ａ（エアフィルタ２２）の全域に導く。
清掃用ファン２５の回転によって筐体の外部から清掃用吸気口１７ｂおよびエアフィルタ２２を通って筐体の内部に流入した外気（清掃用空気）は、清掃用ファンボックス２６内に流れ込み、清掃用ファン２５に吸い込まれる。清掃用ファン２５から吐出された清掃用空気は、導風ルーバ２８の複数の羽根２８ｂによって分割およびガイドされてエアフィルタ２２に向かって流れ、エアフィルタ２２の外側に堆積した塵埃２７を筐体の外部に向かって吹き飛ばす。
なお、開口２８ａは、清掃用ファン２５から遠ざかるほどその大きさが小さくなっており、清掃用ファン２５から離れた数枚の羽根２８ａには開口２８ｂが形成されていない。これにより、エアフィルタ２２のうち清掃用ファン２５から遠い領域にも清掃用空気を供給することができる。
本実施例によれば、冷却用吸気口１７ａとＲＧＢダクト１１（冷却ファン１０，１２，１６）との間の空きスペースに導風ルーバ２８を設けたことで、清掃用ファン２５を冷却用吸気口１７ａおよびエアフィルタ２２に対し平行に設置することができる。これにより、清掃用ファン２５の設置に必要なスペースを小さくすることができ、プロジェクタの大型化を抑えることができる。
また、導風ルーバ２８の羽根２８ｂに、冷却用空気を通す開口２８ａを形成することで、導風ルーバの形状を通常運転時と清掃時とで変化させる必要がなく、簡単な構成でエアフィルタ２２の清掃を行うことができる。
以上説明した各実施例は代表的な例にすぎず、本発明の実施に際しては、各実施例に対して種々の変形や変更が可能である。
例えば、上記各実施例では光変調素子として液晶パネルを用いたプロジェクタについて説明したが、本発明は、デジタルマイクロミラーデバイス（ＤＭＤ）等の他の光変調素子を用いたプロジェクタにも適用することができる。
【産業上の利用可能性】
【００１７】
エアフィルタの清掃が可能な液晶プロジェクタ等の画像投射装置を提供できる。
【符号の説明】
【００１８】
１０  光学冷却ファン
１２  第１ランプ冷却ファン
１６  第２ランプ冷却ファン
１７  外装キャビネット
１７ａ  冷却用吸気口
１７ｂ  清掃用吸気口
１９ａ  排気口
２２   エアフィルタ
２５  清掃用ファン
【図１】
2011154053.tif 000003
【図２】
2011154053.tif 000004
【図３】
2011154053.tif 000005
【図４】
2011154053.tif 000006
【図５】
2011154053.tif 000007
【図６】
2011154053.tif 000008
【図７】
2011154053.tif 000009